(57)【要約】【課題】            軟質材によってループを形成するタグファスナーを成形した場合、容易にロック状態が解除でき、安定してタグを対象物に装着しておく状態を確保、保持することが困難であるという点である。【解決手段】        軟質材で成形されたループ成形体を有し、そのループ成形体の一端に挿し込み部を、他端に前記挿し込み部が挿通される透孔を備えた受部を各々一体的に有し、前記ループ成形体の外表面もしくは挿し込み部の一部に係合部を備えたタグファスナーにおいて、前記受部の一部に前記透孔まで達するスリット穴を形成し、そのスリット穴に硬質材で成形されたタグの一部に延設され、前記透孔と連通し、内縁に前記係合部と係合してロック状態を構成する係止部を備えた貫通孔を形成した挿入片を圧入もしくはインサート成形してあることとする。【選択図】          図１
2012252119.tif 000002
【特許請求の範囲】
【請求項１】
軟質材で成形されたループ成形体を有し、そのループ成形体の一端に挿し込み部を、他端に前記挿し込み部が挿通される透孔を備えた受部を各々一体的に有し、前記ループ成形体の外表面もしくは挿し込み部の一部に係合部を備えたタグファスナーにおいて、前記受部の一部に前記透孔まで達するスリット穴を形成し、そのスリット穴に硬質材で成形されたタグの一部に延設され、前記透孔と連通し、内縁に前記係合部と係合してロック状態を構成する係止部を備えた貫通孔を形成した挿入片を圧入もしくはインサート成形してあることを特徴とするタグファスナー。
【請求項２】
前記した挿入片の側縁には抜け止め爪を形成し、その抜け止め爪をスリット穴に設けられた掛合部と掛合してあることを特徴とする請求項１に記載のタグファスナー。
【請求項３】
前記したスリット穴は受部の透孔開口面に対し、斜め方向に形成されていることを特徴とする請求項１または２に記載のタグファスナー。
【請求項４】
前記した透孔の内面には挿し込み部をガイドするテーパ面が形成されていることを特徴とする請求項１から３のうち１項に記載のタグファスナー。
【請求項５】
前記した透孔の背面側にはガード壁が一体成形されていることを特徴とする請求項４に記載のタグファスナー。
【請求項６】
前記したループ成形体は一方面にラチェットを形成したバンド体としたことを特徴とする請求項１から５のうち１項に記載のタグファスナー。
【請求項７】
前記したバンド体は複数のヒンジで連結されていることを特徴とする請求項６に記載のタグファスナー。
【請求項８】
前記したループ成形体の一部、もしくは挿し込み部の一部あるいは係止部の一部に脆弱部を形成してあることを特徴とする請求項１から７のうち１項に記載のタグファスナー。
【発明の詳細な説明】
【技術分野】
【０００１】
本発明はタグファスナー、特に対象品に対して、ループを形成することで目的とするブランド名や産地、価格等を表示したタグを装着するためのタグファスナーに関する。
【背景技術】
【０００２】
従来より、上記したタグファスナーの存在は知られているが、その多くは延伸加工した硬質なプラスチック、ナイロンをループ成形材として使用し、ループを成形してロック状態とするための挿し込み部と、その挿し込み部を受ける受部も同質の素材で成形されている。
【０００３】
しかしながら、この従来のタグファスナーは硬質であるため、果実や鮮魚等を対象として使用すると、対象物である商品を傷めてしまうことがあり、商品価値を大きく損なってしまうこととなる。
【０００４】
そこで、出願人は、このタグファスナーをエラストマーをはじめとする軟質材により成形することも開発した。そして、この軟質材によるタグファスナーにあってループ成形体のほか、対象物を傷めることがないように挿し込み部や受部も同質の軟質材で成形すると、その軟質材の柔らかさや伸縮性によって、ロック状態が良好に保持できず、簡単に挿し込み部が受部より抜けてしまい、対象物から脱落してしまうことや、故意に外されてしまう虞があった。
【先行技術文献】
【特許文献】
【０００５】
出願人は、本願発明について、先行する技術文献を調査したが、格別に類似すると思われる文献は発見できなかった。
【発明の概要】
【発明が解決しようとする課題】
【０００６】
本発明が解決しようとする問題点は、軟質材によってループを形成するタグファスナーを成形した場合、容易にロック状態が解除でき、安定してタグを対象物に装着しておく状態を確保、保持することが困難であるという点である。
【課題を解決するための手段】
【０００７】
この問題点を解決するために本発明に係るタグファスナーは、軟質材で成形されたループ成形体を有し、そのループ成形体の一端に挿し込み部を、他端に前記挿し込み部が挿通される透孔を備えた受部を各々一体的に有し、前記ループ成形体の外表面もしくは挿し込み部の一部に係合部を備えたタグファスナーにおいて、前記受部の一部に前記透孔まで達するスリット穴を形成し、そのスリット穴に硬質材で成形されたタグの一部に延設され、前記透孔と連通し、内縁に前記係合部と係合してロック状態を構成する係止部を備えた貫通孔を形成した挿入片を圧入もしくはインサート成形してあることを特徴としている。
【０００８】
また、本発明に係るタグファスナーは、前記した挿入片の側縁には抜け止め爪を形成し、その抜け止め爪をスリット穴に設けられた掛合部と掛合してあることを特徴とし、前記したスリット穴は受部の透孔開口面に対し、斜め方向に形成されていることを特徴とし、前記した透孔の内面には挿し込み部をガイドするテーパ面が形成されていることを特徴とし、前記した透孔の背面側にはガード壁が一体成形されていることを特徴としている。
【０００９】
さらに、本発明に係るタグファスナーは、前記したループ成形体は一方面にラチェットを形成したバンド体としたことを特徴とし、前記したバンド体は複数のヒンジで連結されていることを特徴とし、前記したループ成形体の一部、もしくは挿し込み部の一部あるいは係止部の一部に脆弱部を形成してあることを特徴としている。
【発明の効果】
【００１０】
本発明に係るタグファスナーは上記のように構成されている。受部のスリット穴に挿入された硬質材によるタグの一部が、ループ成形体もしくは挿し込み部の一部に備えられた係合部と係合する係止部となるので、ロック状態は強固となり、外れてしまう虞はなくなり、しかも、全体が軟質材のため、対象物を傷めてしまうこともなくなる。
【図面の簡単な説明】
【００１１】
【図１】第一実施例を示す全体斜視図である。
【図２】要部拡大正面側斜視図である。
【図３】要部拡大背面側斜視図である。
【図４】第二実施例を示す平面図である。
【図５】正面断面図である。
【図６】底面図である。
【図７】左側面図である。
【図８】使用状態を示す図である。
【図９】タグを示す図である。
【図１０】第三実施例を示す平面図である。
【図１１】正面断面図である。
【図１２】底面図である。
【図１３】左側面図である。
【図１４】右側面断面図である。
【図１５】タグを示す図である。
【図１６】第四実施例を示す平面図である。
【図１７】正面図である。
【図１８】底面図である。
【図１９】左側面図である。
【図２０】タグを示す図である。
【図２１】第五実施例を示す平面図である。
【図２２】正面図である。
【図２３】底面図である。
【図２４】左側面図である。
【図２５】使用状態を示す図である。
【発明を実施するための形態】
【００１２】
図面として示し、実施例で説明したように構成したことで実現した。
【実施例１】
【００１３】
次に、本発明の好ましい実施の例を図面を参照して説明する。まず図１乃至図３により第一実施例を説明する。これらの図にあって１はループ成形体を示している。このループ成形体１は軟質材、それもエラストマーによって成形されている。このループ成形体１は一端に同材で成形された挿し込み部２を一体に備え、他端に前記挿し込み部２が挿通される透孔３が備えられた受部４を一体に備えており、この受部４も同材によって成形されている。前記した透孔３の内縁には挿し込み部２をガイドするテーパ面３ａが設けられている。
【００１４】
一方、図中５は硬質材、例えばポリプロピレン、ナイロン、あるいはＰＥＴで成形されたタグを示しており、このタグ５は外面にブランド名、産地、価格、品質等の情報が表示される。この第一実施例にあってタグ５は長方形の板状のものとなっており、その長手方向に沿った一方端寄りが挿入片５ａとされ、受部４に上下方向に形成されたスリット穴６に圧入されている。
【００１５】
前記した挿入片５ａには略Ｈ字状の切り込み７が形成されており、その切り込み７によって一対の爪状をした係止部としての係止片７ａ、７ａが形成されており、前記した略Ｈ字状の切り込み７の横棒該当部分が挿し込み部２が通過する貫通孔７ｂとされ、前記透孔３と連通状態とされる。尚、受部４の背面側は挿入片５ａを見ることができる窓孔４ａとされている。
【００１６】
また、前記した係止片７ａ、７ａの各々の先端略中央で、透孔３と対応する個所には挿し込み部２をガイドする切り欠き７ｃ、７ｃが形成され、係止片７ａ、７ａの挿し込み部２の先端によって押され、可動することを補助するものとなっている。
【００１７】
さらに、前記したループ成形体１には挿し込み部２方向へ向って徐々に径を小さくする円錐状をした係合部８、８‥を所定ピッチで連続的に、かつ一体に設けている。ここで、タグファスナーの使用方法を説明すると、対象物の目的場所に対し、ループ成形体１を巻き付けるようにして、挿し込み部２を透孔３へ挿入する。挿し込み部２は透孔３と貫通孔７ｂを通り、係止片７ａ、７ａを後方へ押す。次いで、目的となる径となるまで、ループ成形体１を引き絞ると、いずれかの係合部８が係止片７ａ、７ａによって係合され、ロック状態となる。このロック状態は係止片７ａ、７ａが硬質材であるために緩みのないものとなり、対象物に対してはループ成形体１、挿し込み部２、受部が軟質材のエラストマーであるためにソフトな対応となり、痛める虞がない。
【実施例２】
【００１８】
次に、図４乃至図９を参照して第二実施例を説明する。尚、第一実施例と共通する部分は同一符号を付して詳しい説明は省略する。この第二実施例の場合、タグ５は略Ｔ字状をした鍵状の形態となっている。このタグ５の本体から延設された挿入片５ａには透孔３と連通する貫通孔７ｂが設けられており、この貫通孔７ｂの開口縁に十字状の切り込み７が設けられ、この切り込み７によって係止部となる係止片７ａ、７ａが形成されたものとなっている。
【００１９】
また、挿入片５ａの両側面には挿入方向へ向けて下り傾斜となる複数の係合爪９、９‥が一体に形成されており、この係合爪９、９‥をスリット穴６内の凹部と係合させることで、より一層、タグ５の抜け防止を図っている。
【００２０】
即ち、この第二実施例にあっては、スリット穴６に圧挿入された挿入片５ａの貫通孔７ｂ及び係止片７ａ、７ａが透孔３内に存在する構成となり、その透孔３から貫通孔７ｂヘ挿し込み部２を挿し込み、引き絞ることで図８として示す使用状態のように係合部８が係止片７ａ、７ａによってロックされることとなる。
【実施例３】
【００２１】
また、図１０乃至図１５を参照して第三実施例を説明する。尚、前記した実施例と共通する部分には同一の符号を付して詳しい説明は省略する。この第三実施例の場合は、タグ５の挿入片５ａに貫通孔７ｂが設けられ、その貫通孔７ｂの外側に、挿入片５ａの長手方向に沿った一対の平行な切り込み７、７が形成され、この切り込み７、７と貫通孔７ｂを連通させることで係止部となる係止片７ａ、７ａが形成されている。
【００２２】
この第三実施例の場合、受部４の背面は開口されておらず、ロック部分を外衝から保護するためのガード壁１０が一体に形成されており、このガード壁１０は背面の側面も覆っているもので、透孔３及び挿入片５ａの貫通孔７ｂと連通する透孔１０ａが設けられており、挿し込み部２及びループ成形体１の貫通を可能としている。
【００２３】
このガード壁１０の形成について、生じる空隙１１は、その開口方向に型を抜くことによって成形することができる。尚、係合部８は縦割り半円錐状としている。また、図中１４は脆弱部を示しており、ループ成形のロックをした後に、ループ成形体を強く引いてロックを解除しようとすると、この脆弱部１４が破断して、当該タグファスナーは再使用が不可能となる。この作用で破断されていると何人かがロックを解除したことが明瞭となり封緘具としてのセキュリティ効果を得ることができる。尚、この脆弱部１４と受部４との間は係合部８、８‥の不要なストレートな態様となる。
【実施例４】
【００２４】
さらに、図１６乃至図２０を参照して第四実施例を説明する。尚、前記した実施例と共通する部分には同一の符号を付して詳しい説明は省略する。この第四実施例の場合、受部４の透孔３の位置は正面から見て、左右のいずれかに片寄せてずらせた構成となっており、ガイドとなるテーパ面も片寄せられた方向にのみ設けられ、反対側はそのテーパ面３ａの存在はないものとしている。
【００２５】
一方、タグ５の挿入片５ａにおける貫通孔７ｂもその位置を透孔３に合せて左右いずれかに片寄せてある。この貫通孔７ｂには、挿入片５ａの短手方向に沿う一対の平行な切り込み７、７の端部が連通され、一つの係止部となる係止片７ａが形成されている。
【００２６】
また、受部４における挿入片５ａを挿入するためのスリット穴６は受部４の正面に対し、略４５度になる斜めに形成されている。このスリット穴６に挿入片５ａを挿入すると、貫通孔７ｂは透孔３の中心線と斜交することになり、係止片７ａは一枚のみのため、挿し込み部２の先端が、テーパ面３ａに沿って滑りこの係止片７ａの表面を滑るように押し、反対側へ倒す作業が小さなパワーでスムーズに行なえることとなる。さらに、係止片７ａの基端には、切り込み７、７と連通する括れ部によって脆弱部１４ａが形成されている。この脆弱部１４ａの作用は実施例３における脆弱部１４と同旨となる。
【実施例５】
【００２７】
そして、図２１乃至図２５を参照して第五実施例を説明する。尚、前記した実施例と共通する部分は同一の符号を付して詳しい説明は省略する。この第五実施例の場合、ループ成形体１をバンド体として成形し、かつ、そのバンド体を複数のヒンジ１３、１３で連結した構成としてある。そのヒンジ１３、１３で連結されたバンド体の最遊端の表面には係合部としてのラチェット１２が連続して構成されている。
【００２８】
タグ５の挿入片５ａにおける貫通孔７ｂの周囲には略９０度ピッチで三つの切り込みが設けられ、係止部となる係止片７ａ、７ａを形成している。この第五実施例の場合、ラチェット１２を形成した最遊端のパートが挿し込み部２として作用し、これを透孔３に挿し込み、引き絞るとラチェット１２が係止片７ａ、７ａと係合してロック状態とする。また、ラチェット１２を形成した最遊端の挿し込み部２としてのパートは脆弱部１４ｂで連結されている。この脆弱部１４ｂの作用は実施例３、実施例４における脆弱部１４、１４ａと同旨となる。
【００２９】
本実施例に係るタグファスナーは上記のように構成されている。透孔３にテーパ面３ａを形成していることからも挿し込み部２の逆方向からの挿し込みは不可となる。
【産業上の利用可能性】
【００３０】
本願に係るタグファスナーは実施例として示した形態のほか、ループ成形体１をストレートなファイバー材とすることもでき、この場合は、係合部８は挿し込み部２の一部に形成され、引き絞る作業は行なわない。また、このループ成形体１を糸で代替することもできる。そのほか、ループ成形体１をビーズが連続した構成とすることもできる。
【００３１】
また、ループ成形体１はエラストマーのほか、軟質材であればシリコン、ウレタン、ＰＥ等を素材として用いることもでき、実施例５のバンド体の場合も、ヒンジ１３、１３を用いず、一連のものとし、表面に連続してラチェット１２を形成することもできる。
【符号の説明】
【００３２】
１    ループ成形体
２    挿し込み部
３    透孔
３ａ  テーパ面
４    受部
４ａ  窓孔
５    タグ
５ａ  挿入片
６    スリット穴
７    切り込み
７ａ  係止片
７ｂ  貫通孔
７ｃ  切り欠き
８    係合部
９    係合爪
１０  ガード壁
１０ａ  透孔
１１  空隙
１２  ラチェット
１３  ヒンジ
１４  脆弱部
１４ａ  脆弱部
１４ｂ  脆弱部
【図１】
2012252119.tif 000003
【図２】
2012252119.tif 000004
【図３】
2012252119.tif 000005
【図４】
2012252119.tif 000006
【図５】
2012252119.tif 000007
【図６】
2012252119.tif 000008
【図７】
2012252119.tif 000009
【図８】
2012252119.tif 000010
【図９】
2012252119.tif 000011
【図１０】
2012252119.tif 000012
【図１１】
2012252119.tif 000013
【図１２】
2012252119.tif 000014
【図１３】
2012252119.tif 000015
【図１４】
2012252119.tif 000016
【図１５】
2012252119.tif 000017
【図１６】
2012252119.tif 000018
【図１７】
2012252119.tif 000019
【図１８】
2012252119.tif 000020
【図１９】
2012252119.tif 000021
【図２０】
2012252119.tif 000022
【図２１】
2012252119.tif 000023
【図２２】
2012252119.tif 000024
【図２３】
2012252119.tif 000025
【図２４】
2012252119.tif 000026
【図２５】
2012252119.tif 000027